(57)【特許請求の範囲】
【請求項１】
広帯域無線接続システムにおいて端末がレンジングを行う方法であって、
特定フレームに割り当てられる少なくとも一つの第１のレンジングチャネルの割当情報を基地局から受信し、
前記割当情報を用いて前記少なくとも一つの第１のレンジングチャネルの機会インデックス（ｏｐｐｏｒｔｕｎｉｔｙ  ｉｎｄｅｘ）を判断すること、
を含み、
前記第１のレンジングチャネルの機会インデックスを判断することは、
前記少なくとも一つの第１のレンジングチャネルが非同期レンジングチャネル（ＮＳ−ＲＣＨ）であると、前記非同期レンジングチャネルの機会インデックスを既に設定された機会インデックス範囲の最初値と判断するように行なわれ、
前記少なくとも一つの第１のレンジングチャネルが同期レンジングチャネル（Ｓ−ＲＣＨ）であると、前記同期レンジングチャネルの機会インデックスを前記機会インデックス範囲の最後値と判断するように行われることを特徴とする、レンジング方法。
【請求項２】
動的に割り当てられる少なくとも一つの第２のレンジングチャネルの割当情報を前記基地局から受信し、
前記少なくとも一つの第２のレンジングチャネルの機会インデックスを判断すること、
をさらに含み、
前記第２のレンジングチャネルの機会インデックスを判断することは、
前記第１のレンジングチャネルの機会インデックスの判断結果に基づく機会インデックスの値以外の機会インデックスの範囲で、前記第２のレンジングチャネルの割当情報において時間領域上に割り当てられた位置に沿って順に、前記少なくとも一つの第２のレンジングチャネルの機会インデックスをそれぞれ判断するように行われることを特徴とする、請求項１に記載のレンジング方法。
【請求項３】
前記少なくとも一つのレンジングチャネルのいずれかを通じてレンジングコードを前記基地局に転送し、
前記基地局から受信されるレンジング肯定応答（ＡＡＩ＿ＲＮＧ−ＡＣＫ）メッセージ及び前記コードを転送したレンジングチャネルの機会インデックスを用いて、前記転送したレンジングコードの受信結果を判断することをさらに含む、請求項１または２に記載のレンジング方法。
【請求項４】
前記非同期レンジングチャネルの機会インデックスは０ｂ００であり、
前記同期レンジングチャネルの機会インデックスは０ｂ１１である、ことを特徴とする、請求項１に記載のレンジング方法。
【請求項５】
前記少なくとも一つの第１のレンジングチャネルの割当情報は、
前記第１のレンジングチャネルが前記非同期レンジングチャネルである場合は、スーパーフレームヘッダー（ＳＦＨ）を通じて受信され、
前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて受信され、
前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて受信されることを特徴とする、請求項２に記載のレンジング方法。
【請求項６】
広帯域無線接続システムにおいて基地局で行われるレンジング方法であって、
特定フレームに割り当てられる少なくとも一つの第１のレンジングチャネル及び動的に割り当てられる少なくとも一つの第２のレンジングチャネルの少なくとも一方の割当情報を端末に転送し、
前記第１のレンジングチャネル及び前記第２のレンジングチャネルのいずれかを通じて前記端末からレンジングコードを受信し、
前記レンジングコードの受信状態（ｒａｎｇｉｎｇ  ｓｔａｔｕｓ）、及び前記レンジングコードの受信されたレンジングチャネルを指示する機会インデックス（ｏｐｐｏｒｔｕｎｉｔｙ  ｉｎｄｅｘ）を含むレンジング肯定応答（ＡＡＩ＿ＲＮＧ−ＡＣＫ）メッセージを前記端末に転送すること、を含み、
前記レンジングコードの受信されたレンジングチャネルを指示する機会インデックスは、
前記第１のレンジングチャネルの種類、及び前記第２のレンジングチャネルの割当情報において前記少なくとも一つの第２のレンジングチャネルが時間領域（ｔｉｍｅ  ｄｏｍａｉｎ）上に割り当てられた順序に従って決定されることを特徴とする、レンジング方法。
【請求項７】
前記レンジングコードの受信されたレンジングチャネルを指示する機会インデックスは、
前記レンジングコードの受信されたレンジングチャネルが、前記少なくとも一つの第１のレンジングチャネルのうち非同期レンジングチャネル（ＮＳ−ＲＣＨ）であると、既に設定された機会インデックス範囲の最初値にマッピング（ｍａｐｐｉｎｇ）され、
前記レンジングコードの受信されたレンジングチャネルが、前記少なくとも一つの第１のレンジングチャネルのうち同期レンジングチャネル（Ｓ−ＲＣＨ）であると、前記機会インデックス範囲の最後値にマッピングされ、
前記レンジングコードの受信されたレンジングチャネルが、前記少なくとも一つの第２のレンジングチャネルのいずれか一つであると、前記第１のレンジングチャネルにマッピングされた機会インデックス値以外の範囲の機会インデックスが、前記第２のレンジングチャネルの割当情報において時間領域上に割り当てられた位置に沿って順にマッピングされることを特徴とする、請求項６に記載のレンジング方法。
【請求項８】
前記非同期レンジングチャネルの機会インデックスは０ｂ００であり、
前記同期レンジングチャネルの機会インデックスは０ｂ１１であることを特徴とする、請求項７に記載のレンジング方法。
【請求項９】
前記少なくとも一つの第１のレンジングチャネルの割当情報は、
前記第１のレンジングチャネルが前記非同期レンジングチャネルである場合は、スーパーフレームヘッダー（ＳＦＨ）を通じて転送され、
前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて転送され、
前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて転送されることを特徴とする、請求項８に記載のレンジング方法。
【請求項１０】
広帯域無線接続システムにおいてレンジング手順を行う端末装置であって、
プロセッサと、
前記プロセッサの制御によって外部と無線信号を送受信するための無線通信（ＲＦ）モジュールと、
を備え、
前記プロセッサは、
特定フレームに割り当てられる少なくとも一つの第１のレンジングチャネルの割当情報を基地局から受信すると、該割当情報を用いて前記少なくとも一つの第１のレンジングチャネルの機会インデックス（ｏｐｐｏｒｔｕｎｉｔｙ  ｉｎｄｅｘ）を判断するように制御し、
前記少なくとも一つの第１のレンジングチャネルが非同期レンジングチャネル（ＮＳ−ＲＣＨ）であると、前記非同期レンジングチャネルの機会インデックスを、既に設定された機会インデックス範囲の最初値と判断し、前記少なくとも一つの第１のレンジングチャネルが同期レンジングチャネル（Ｓ−ＲＣＨ）であると、前記同期レンジングチャネルの機会インデックスを、前記機会インデックス範囲の最後値と判断することを特徴とする、端末装置。
【請求項１１】
前記プロセッサは、
動的に割り当てられる少なくとも一つの第２のレンジングチャネルの割当情報を前記基地局から受信すると、前記少なくとも一つの第２のレンジングチャネルの機会インデックスを判断するように制御し、
前記第１のレンジングチャネルの機会インデックスの判断結果に基づく機会インデックスの値以外の機会インデックスの範囲で、前記第２のレンジングチャネルの割当情報において時間領域上に割り当てられた位置に沿って順に、前記少なくとも一つの第２のレンジングチャネルの機会インデックスをそれぞれ判断することを特徴とする、請求項１０に記載の端末装置。
【請求項１２】
前記プロセッサは、
前記少なくとも一つのレンジングチャネルのいずれかを通じてレンジングコードが前記基地局に転送されるようにし、前記基地局から受信するレンジング肯定応答（ＡＡＩ＿ＲＮＧ−ＡＣＫ）メッセージ、及び前記コードを転送したレンジングチャネルの機会インデックスを用いて、前記転送したレンジングコードの受信結果を判断するように制御することを特徴とする、請求項１０または１１に記載の端末装置。
【請求項１３】
前記非同期レンジングチャネルの機会インデックスは０ｂ００であり、
前記同期レンジングチャネルの機会インデックスは０ｂ１１であることを特徴とする、請求項１０に記載の端末装置。
【請求項１４】
前記少なくとも一つの第１のレンジングチャネルの割当情報は、
前記第１のレンジングチャネルが前記非同期レンジングチャネルである場合は、スーパーフレームヘッダー（ＳＦＨ）を通じて受信され、
前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて受信され、
前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて受信されることを特徴とする、請求項１１に記載の端末装置。
【発明の詳細な説明】
【技術分野】
【０００１】
本発明は、広帯域無線接続システムに係り、特に、端末がレンジングを行うアップリンク領域であるレンジングチャネル及び機会のマッピング方法と、これを用いて端末がレンジングを行う方法及び装置に関する。
【背景技術】
【０００２】
ＩＥＥＥ  ８０２．１６作業グループで制定した主要標準には、固定ワイマックス（Ｆｉｘｅｄ  ＷｉＭＡＸ）と呼ばれるＩＥＥＥ  ８０２．１６−２００４、及びモバイルワイマックス（ｍｏｂｉｌｅ  ＷｉＭＡＸ）と呼ばれるＩＥＥＥ  ８０２．１６ｅ−２００５（以下、１６ｅ）がある。ＩＥＥＥ  ８０２．１６ｅ−２００５は、２００５年１２月にＩＥＥＥ  から最終的に標準として承認された。現在バージョンのモバイルワイマックス技術の根幹となる標準は、ＩＥＥＥ  ８０２．１６−２００４、ＩＥＥＥ  ８０２．１６ｅ−２００５（この文書は、ＩＥＥＥ  ８０２．１６−２００４のＣｏｒｒｉｇｅｎｄａを含んでいる）、ＩＥＥＥ  ８０２．１６−２００４／Ｃｏｒｒｉｇｅｎｄａ２／Ｄ８である。現在、次期バージョンのモバイルワイマックスのためのＩＥＥＥ  ８０２．１６ｍ（以下、１６ｍ）の標準化が、ＩＥＥＥ  ８０２．１６作業グループ内のＴＧｍで進行中である。
【０００３】
最初のネットワーク登録手順を行う際に、端末が基地局とのアップリンク通信のための転送パラメータ（周波数オフセット、時間オフセット、転送電力）を調整する過程を初期レンジング（ｉｎｉｔｉａｌ  ｒａｎｇｉｎｇ）といい、ネットワーク登録手順を行った後に、端末は基地局とのアップリンク通信を維持し続くために、周期的レンジング（ｐｅｒｉｏｄｉｃ  ｒａｎｇｉｎｇ）を行う。その他にも、レンジングの種類には、端末機がハンドオーバー動作時に手順を簡素化するために行うハンドオーバーレンジング（ｈａｎｄｏｖｅｒ  ｒａｎｇｉｎｇ）と、端末が転送するデータが発生した時にアップリンク帯域を要請する過程で行われる帯域要請レンジング（ｂａｎｄｗｉｄｔｈ−ｒｅｑｕｅｓｔ  ｒａｎｇｉｎｇ）がある。
【０００４】
広帯域無線接続システムにおいて、各レンジングの種類によって、レンジング時に使用可能なＣＤＭＡコード（または、レンジングプリアンブル：ｒａｎｇｉｎｇ  ｐｒｅａｍｂｌｅ）集合及びＣＤＭＡコードを転送する領域が、ネットワークによりシステム情報を放送するチャネル（例えば、ＵＬ−ＭＡＰ）を通じて割り当てられる。そのため、例えば、特定端末がハンドオーバーレンジングを行うためには、ハンドオーバーレンジングのためのＣＤＭＡコードから特定コードを選択し、選択されたコードを初期レンジング及びハンドオーバーレンジング領域を通じてネットワークに転送することによってレンジングを要請しなければならない。そのため、ネットワークは、受信したＣＤＭＡコード及びＣＤＭＡコードの転送された区間を用いてレンジングの種類を区別することができる。
【０００５】
ＩＥＥＥ  ８０２．１６ｍシステムでは、レンジングチャネル（Ｒａｎｇｉｎｇ  ｃｈａｎｎｅｌ）を、同期している端末が行うレンジングのための同期レンジングチャネル（Ｓ−ＲＣＨ）と、そうでない端末が行うレンジングのための非同期レンジングチャネル（ＮＳ−ＲＣＨ）とに区別することができる。また、ＩＥＥＥ  ８０２．１６ｍシステムでは、端末が転送するデータが発生した時にアップリンク帯域を要請する帯域要請チャネル（Ｂａｎｄｗｉｄｔｈ  ｒｅｑｕｅｓｔ  ｃｈａｎｎｅｌ、ＢＲＣＨ）が存在する。このようなレンジングチャネル（Ｓ−ＲＣＨ、ＮＳ−ＲＣＨ）及び帯域要請チャネル（ＢＲＣＨ）は、媒体接続制御層（ＭＡＣ  ｌａｙｅｒ）においてそれぞれレンジング機会（ｒａｎｇｉｎｇ  ｏｐｐｏｒｔｕｎｉｔｙ）と帯域要請機会（ＢＲ  ｏｐｐｏｒｔｕｎｉｔｙ）の概念として用いられる。
【０００６】
レンジング機会は、レンジング手順において受信されたレンジングコードを受信したか否かを基地局が端末に知らせるためのレンジング肯定応答（ＡＡＩ＿ＲＮＧ−ＡＣＫ）メッセージと、成功的に受信したレンジングコードに関するリソース割当情報を、当該コードを転送した端末に伝達するＣＤＭＡ割当マップ（ＣＤＭＡ  Ａｌｌｏｃａｔｉｏｎ  Ａ−ＭＡＰ  ＩＥ）などに用いられる。
【０００７】
この時、それぞれ異なる形態の基地局は、レンジングチャネル及びコード割当情報を、それぞれ異なる方式で伝達する。例えば、ＷｉｒｅｌｅｓｓＭＡＮ−ＯＦＤＭＡ  ｗｉｔｈ  ＦＤＭ−ｂａｓｅｄ  ＵＬ  ＰＵＳＣ  Ｚｏｎｅを支援する基地局及びフェムト（Ｆｅｍｔｏ）セルのようなカバレッジの狭い基地局は、これらレンジング関連情報を、独立したチャネル形態であるスーパーフレームヘッダー（ＳＦＨ）を通じて伝達し、それ以外の基地局（例えば、Ｍａｃｒｏ、Ｒｅｌａｙ、Ｍａｃｒｏ  ｈｏｔ−ｚｏｎｅ）は、それぞれ異なるレンジング関連情報を、独立したチャネル形態であるスーパーフレームヘッダー（ＳＦＨ）及び媒体接続制御（ＭＡＣ）メッセージ形態であるシステム設定記述子（ＡＡＩ＿ＳＣＤ）メッセージを通じて伝達する。レンジングチャネル及びコード割当情報は、スーパーフレームヘッダー（ＳＦＨ）とシステム設定記述子（ＡＡＩ＿ＳＣＤ）メッセージを同時に用いる場合においてそれぞれ異なる時点に端末に伝達される。
【０００８】
ここで、端末は、ＡＡＩ＿ＳＣＤメッセージを受信しなくても、ＳＦＨのみを受信した後に初期レンジングまたはハンドオーバーレンジングを行うことができる。しかるに、ＡＡＩ＿ＳＣＤを通じて割り当てられたレンジングチャネルが時間軸／周波数軸で先に割り当てられていても、その存在が、ＡＡＩ＿ＳＣＤを受信していない端末にはわからない。
【０００９】
例えば、同じフレームにおいてＡＡＩ＿ＳＣＤを通じて伝達されたレンジングチャネルの物理的位置が、ＳＦＨを通じて伝達されたレンジングチャネルのそれよりも時間軸／周波数軸において先にある場合、ＡＡＩ＿ＳＣＤのレンジングチャネルは、レンジング機会インデックス０がマッピングされ、ＳＦＨのレンジングチャネルは、レンジング機会インデックス１がマッピングされる。この場合、初期レンジングまたはハンドオーバーレンジングのために端末が選択したレンジングチャネルが、実際にはレンジング機会インデックス（ｏｐｐｏｒｔｕｎｉｔｙ  ｉｎｄｅｘ）１であるが、ＡＡＩ＿ＳＣＤを受信しなかったことにより当該レンジングチャネルをレンジング機会インデックス０と認識することがある。
【００１０】
そのため、上述した一般の方式のように時間軸／周波数軸の順にレンジングチャネルの機会インデックスをマッピングする規則が用いられることは好ましくなく、物理的に割り当てられたレンジングチャネルがレンジング機会（ｒａｎｇｉｎｇ  ｏｐｐｏｒｔｕｎｉｔｙ）にマッピング（ｍａｐｐｉｎｇ）される方法を新しく定義する必要がある。
【発明の概要】
【発明が解決しようとする課題】
【００１１】
本発明は上記の一般的な技術の問題点を解決するために案出されたもので、その目的は、より効率的なレンジングチャネルの機会インデックスマッピング方法を提供することにある。
【００１２】
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【００１３】
上記のような一般的技術の問題点を解決するために、本発明の一実施例に係る広帯域無線接続システムにおいて端末がレンジングを行う方法は、特定フレームに割り当てられる少なくとも一つの第１のレンジングチャネルの割当情報を基地局から受信すること、及び前記割当情報を用いて前記少なくとも一つの第１のレンジングチャネルの機会インデックス（ｏｐｐｏｒｔｕｎｉｔｙ  ｉｎｄｅｘ）を判断すること、を含み、前記第１のレンジングチャネルの機会インデックスを判断することは、前記少なくとも一つの第１のレンジングチャネルが非同期レンジングチャネル（ＮＳ−ＲＣＨ）であると、前記非同期レンジングチャネルの機会インデックスを既に設定された機会インデックス範囲の最初値と判断するように行なわれ、前記少なくとも一つの第１のレンジングチャネルが同期レンジングチャネル（Ｓ−ＲＣＨ）であると、前記同期レンジングチャネルの機会インデックスを前記機会インデックス範囲の最後値と判断するように行われるとよい。
【００１４】
ここで、動的に割り当てられる少なくとも一つの第２のレンジングチャネルの割当情報を前記基地局から受信すること、及び前記少なくとも一つの第２のレンジングチャネルの機会インデックスを判断すること、をさらに含み、前記第２のレンジングチャネルの機会インデックスを判断することは、前記第１のレンジングチャネルの機会インデックスの判断結果に基づく機会インデックスの値以外の機会インデックスの範囲で、前記第２のレンジングチャネルの割当情報において時間領域上に割り当てられた位置に沿って順に、前記少なくとも一つの第２のレンジングチャネルの機会インデックスをそれぞれ判断するように行われるとよい。
【００１５】
また、上記レンジング方法は、前記少なくとも一つのレンジングチャネルのいずれかを通じてレンジングコードを前記基地局に転送すること、及び前記基地局から受信されるレンジング肯定応答（ＡＡＩ＿ＲＮＧ−ＡＣＫ）メッセージ及び前記コードを転送したレンジングチャネルの機会インデックスを用いて、前記転送したレンジングコードの受信結果を判断することをさらに含むことができる。
【００１６】
好適には、前記非同期レンジングチャネルの機会インデックスは０ｂ００であり、前記同期レンジングチャネルの機会インデックスは０ｂ１１である。
【００１７】
なお、前記少なくとも一つの第１のレンジングチャネルの割当情報は、前記第１のレンジングチャネルが前記非同期レンジングチャネルである場合は、スーパーフレームヘッダー（ＳＦＨ）を通じて受信され、前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて受信され、前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて受信されるとよい。
【００１８】
また、上記の一般的技術の問題点を解決するために、本発明の一実施例に係る広帯域無線接続システムにおいて基地局で行われるレンジング方法は、特定フレームに割り当てられる少なくとも一つの第１のレンジングチャネル及び動的に割り当てられる少なくとも一つの第２のレンジングチャネルの少なくとも一方の割当情報を端末に転送すること、前記第１のレンジングチャネル及び前記第２のレンジングチャネルのいずれかを通じて前記端末からレンジングコードを受信すること、及び前記レンジングコードの受信状態（ｒａｎｇｉｎｇ  ｓｔａｔｕｓ）、及び前記レンジングコードの受信されたレンジングチャネルを指示する機会インデックス（ｏｐｐｏｒｔｕｎｉｔｙ  ｉｎｄｅｘ）を含むレンジング肯定応答（ＡＡＩ＿ＲＮＧ−ＡＣＫ）メッセージを前記端末に転送すること、を含み、前記レンジングコードの受信されたレンジングチャネルを指示する機会インデックスは、前記第１のレンジングチャネルの種類、及び前記第２のレンジングチャネルの割当情報において前記少なくとも一つの第２のレンジングチャネルが時間領域（ｔｉｍｅ  ｄｏｍａｉｎ）上に割り当てられた順序に従って決定されるとよい。
【００１９】
ここで、前記レンジングコードの受信されたレンジングチャネルを指示する機会インデックスは、前記レンジングコードの受信されたレンジングチャネルが、前記少なくとも一つの第１のレンジングチャネルのうち非同期レンジングチャネル（ＮＳ−ＲＣＨ）であると、既に設定された機会インデックス範囲の最初値にマッピング（ｍａｐｐｉｎｇ）され、前記レンジングコードの受信されたレンジングチャネルが、前記少なくとも一つの第１のレンジングチャネルのうち同期レンジングチャネル（Ｓ−ＲＣＨ）であると、前記機会インデックス範囲の最後値にマッピングされ、前記レンジングコードの受信されたレンジングチャネルが、前記少なくとも一つの第２のレンジングチャネルのいずれか一つであると、前記第１のレンジングチャネルにマッピングされた機会インデックス値以外の範囲の機会インデックスが、前記第２のレンジングチャネルの割当情報において時間領域上に割り当てられた位置に沿って順にマッピングされるとよい。
【００２０】
また、前記非同期レンジングチャネルの機会インデックスは０ｂ００であり、前記同期レンジングチャネルの機会インデックスは０ｂ１１でよい。
【００２１】
なお、前記少なくとも一つの第１のレンジングチャネルの割当情報は、前記第１のレンジングチャネルが前記非同期レンジングチャネルである場合は、スーパーフレームヘッダー（ＳＦＨ）を通じて転送され、前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて転送され、前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて転送されるとよい。
【００２２】
上記の一般的技術の問題点を解決するために、本発明の他の実施例に係る広帯域無線接続システムにおいてレンジング手順を行う端末装置は、プロセッサと、前記プロセッサの制御によって外部と無線信号を送受信するための無線通信（ＲＦ）モジュールと、を備え、前記プロセッサは、特定フレームに割り当てられる少なくとも一つの第１のレンジングチャネルの割当情報を基地局から受信すると、該割当情報を用いて前記少なくとも一つの第１のレンジングチャネルの機会インデックス（ｏｐｐｏｒｔｕｎｉｔｙ  ｉｎｄｅｘ）を判断するように制御し、前記少なくとも一つの第１のレンジングチャネルが非同期レンジングチャネル（ＮＳ−ＲＣＨ）であると、前記非同期レンジングチャネルの機会インデックスを、既に設定された機会インデックス範囲の最初値と判断し、前記少なくとも一つの第１のレンジングチャネルが同期レンジングチャネル（Ｓ−ＲＣＨ）であると、前記同期レンジングチャネルの機会インデックスを、前記機会インデックス範囲の最後値と判断することができる。
【００２３】
前記プロセッサは、動的に割り当てられる少なくとも一つの第２のレンジングチャネルの割当情報を前記基地局から受信すると、前記少なくとも一つの第２のレンジングチャネルの機会インデックスを判断するように制御し、前記第１のレンジングチャネルの機会インデックスの判断結果に基づく機会インデックスの値以外の機会インデックスの範囲で、前記第２のレンジングチャネルの割当情報において時間領域上に割り当てられた位置に沿って順に、前記少なくとも一つの第２のレンジングチャネルの機会インデックスをそれぞれ判断することができる。
【００２４】
また、前記プロセッサは、前記少なくとも一つのレンジングチャネルのいずれかを通じてレンジングコードが前記基地局に転送されるようにし、前記基地局から受信するレンジング肯定応答（ＡＡＩ＿ＲＮＧ−ＡＣＫ）メッセージ、及び前記コードを転送したレンジングチャネルの機会インデックスを用いて、前記転送したレンジングコードの受信結果を判断するように制御することができる。
【００２５】
また、前記非同期レンジングチャネルの機会インデックスは０ｂ００であり、前記同期レンジングチャネルの機会インデックスは０ｂ１１でよい。
【００２６】
なお、前記少なくとも一つの第１のレンジングチャネルの割当情報は、前記第１のレンジングチャネルが前記非同期レンジングチャネルである場合は、スーパーフレームヘッダー（ＳＦＨ）を通じて受信され、前記第１のレンジングチャネルが前記同期レンジングチャネルである場合は、前記スーパーフレームヘッダー（ＳＦＨ）またはシステム設定記述子（ＡＡＩ＿ＳＣＤ）メッセージを通じて受信され、前記少なくとも一つの第２のレンジングチャネルの割当情報は、マップ（Ａ−ＭＡＰ）またはハンドオーバー命令（ＡＡＩ＿ＨＯ−ＣＭＤ）メッセージを通じて受信されるとよい。
【発明の効果】
【００２７】
本発明の少なくとも一実施例によれば、效率的にレンジングチャネル及び機会のマッピング規則が定義されるため、端末は、レンジングチャネルに関する情報が伝達されるチャネルにかかわらず、正確にレンジングチャネルの機会インデックスを認識することが可能になる。
【００２８】
本発明で得られる効果は、以上に言及した効果に制限されず、言及していない他の効果は、下の記載から、本発明の属する技術の分野における通常の知識を有する者であれば明確に理解されるであろう。
【図面の簡単な説明】
【００２９】
【図１】レガシーシステムを支援するＩＥＥＥ  ８０２．１６ｍシステムのレンジングチャネル構造を示す図である。
【図２】本発明の一実施例に係るレンジングチャネルを機会インデックスにマッピングした形態の一例を示す図である。
【図３】本発明の一実施例に係るレンジングチャネルを機会インデックスにマッピングした形態の他の例を示す図である。
【図４】本発明の一実施例に係るレンジングチャネルを機会インデックスにマッピングした形態のさらに他の例を示す図である。
【図５】本発明の一実施例に係るレンジングチャネルを機会インデックスにマッピングした形態のさらに他の例を示す図である。
【図６】本発明の一実施例に係るレンジングチャネルを機会インデックスにマッピングした形態のさらに他の例を示す図である。
【図７】カバレッジの狭い基地局で本発明の一実施例に係るレンジングチャネルを機会インデックスにマッピングした形態の一例を示す図である。
【図８】レガシーシステムを支援する基地局で本発明の一実施例に係るレンジングチャネルを機会インデックスにマッピングした形態の一例を示す図である。
【図９】レガシーシステムを支援する基地局で本発明の一実施例に係るレンジングチャネルを機会インデックスにマッピングした形態の他の例を示す図である。
【図１０】本発明の他の実施例に係るレンジングチャネルを機会インデックスにマッピングした形態の一例を示す図である。
【図１１】本発明のさらに他の実施例に係るレンジングチャネルを機会インデックスにマッピングした形態の一例を示す図である。
【図１２】本発明のさらに他の実施例に係るレンジングチャネルを機会インデックスにマッピングした形態の一例を示す図である。
【図１３】レガシーシステムを支援する基地局で本発明のさらに他の実施例に係るレンジングチャネルを機会インデックスにマッピングした形態の一例を示す図である。
【図１４】カバレッジの狭い基地局で本発明のさらに他の実施例に係るレンジングチャネルを機会インデックスにマッピングした形態の一例を示す図である。
【図１５】本発明の他の実施例であって、送信端及び受信端の構造の一例を示すブロック図である。
【発明を実施するための形態】
【００３０】
本発明は、無線接続システムに関する。以下、本発明の実施例は、レンジングチャネル及び機会の効率的なマッピング方法及びこれを行うための装置構造を開示する。
【００３１】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００３２】
本明細書では、本発明の実施例を、基地局と端末との間におけるデータ送受信の関係を中心に説明した。ここで、基地局は、端末と通信を直接行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００３３】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、ＡＢＳ（Ａｄｖａｎｃｅｄ  ＢＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  ＭＳ）、ＳＳ（Ｓｕｂｓｃｒｉｂｅｒ  Ｓｔａｔｉｏｎ）などの用語に代えてもよい。
【００３４】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００３５】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００３６】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００３７】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５及びＰ８０２．１６Ｒｅｖ２文書の少なくとも一つでサーボートできる。
【００３８】
以下の説明で用いられる特定用語は、本発明の理解を助けるために提供されているもので、これらの特定用語の使用は、本発明の技術的思想から逸脱しない範囲で他の形態に変更可能である。
【００３９】
基地局が端末からレンジング目的に応じた種類のＣＤＭＡレンジングコードを受信すると、基地局は、レンジングコードの受信に成功したか否か、受信状態及び物理補正値などをＡＡＩ＿ＲＮＧ−ＡＣＫメッセージにより端末に知らせることができる。具体的に、基地局は端末からレンジングコードを受信すると、それに対する応答としてＡＡＩ＿ＲＮＧ−ＡＣＫメッセージの割当情報を、放送マスキングコード（Ｂｒｏａｄｃａｓｔ  Ｍａｓｋｉｎｇ  Ｃｏｄｅ）を用いた放送割当マップ情報要素（Ｂｒｏａｄｃａｓｔ  ａｓｓｉｇｎｍｅｎｔ  Ａ−ＭＡＰ  ＩＥ）を通じて端末に転送する。ＡＡＩ＿ＲＮＧ−ＡＣＫメッセージが非要請で特定端末に転送される場合には、ユニキャストＳＴＩＤを用いたダウンリンク基本割当マップ情報要素（ＤＬ  ｂａｓｉｃ  ａｓｓｉｇｎｍｅｎｔ  Ａ−ＭＡＰ  ＩＥ）を通じて割当情報が端末に伝達される。もし、全てのレンジングコードが成功的に受信されたなどの特定条件の場合は、ＡＡＩ＿ＲＮＧ−ＡＣＫメッセージの転送は省略されてもよい。
【００４０】
以下では、基地局のタイプ別にレンジングチャネルの構成を説明する。
【００４１】
１）レガシーシステムを支援する基地局
まず、ＩＥＥＥ  ８０２．１６ｍシステムとそのレガシー（ｌｅｇａｃｙ）システム（例えば、ＩＥＥＥ  ８０２．１６ｅシステム）を同時に支援する基地局（ＡＢＳ）につて、図１を参照して説明する。
【００４２】
図１は、レガシーシステムを支援するＩＥＥＥ  ８０２．１６ｍシステムのレンジングチャネル構造を示す図である。
【００４３】
レガシーを支援するＩＥＥＥ  ８０２．１６ｍシステムにおいて、レガシー端末のためのアップリンク領域とＩＥＥＥ  ８０２．１６ｍ端末のためのアップリンク領域とがＦＤＭ方式で分けられている場合に、これらの物理的領域のパーミュテーション（ｐｅｒｍｕｔａｔｉｏｎ）は、レガシーシステムで用いられるサブキャリア部分利用（ＰＵＳＣ）構造でなければならない。そのため、レガシーを支援するＩＥＥＥ  ８０２．１６ｍシステムは、ＩＥＥＥ  ８０２．１６ｍ端末のみを支援する一般的なＩＥＥＥ  ８０２．１６ｍシステムにおけるレンジングチャネル構造とは異なる形態を有する。このような場合に、図１に示すように、１サブフレームにＮＳ−ＲＣＨとＳ−ＲＣＨとが共存することが好ましい。
【００４４】
このようなレガシーを支援するＩＥＥＥ  ８０２．１６ｍシステムの基地局においてレンジングチャネル及びコード割当情報は、基本的に、ＳＦＨ（ＳＰ１：ＲＰ  ｃｏｄｅ  ｐａｒｔｉｔｉｏｎ  ｉｎｆｏｒｍａｔｉｏｎ  ｆｏｒ  ｔｈｅ  ＲＣＨ、Ａｌｌｏｃａｔｉｏｎ  ｐｅｒｉｏｄｉｃｉｔｙ  ｏｆ  ｔｈｅ  ＲＣＨ、Ｓｕｂｆｒａｍｅ  ｏｆｆｓｅｔ  ｏｆ  ｔｈｅ  ＲＣＨ等）を通じて端末に伝達される。ＳＦＨを通じて伝達される割当方式によって毎フレームごとに最大それぞれ一つのＮＳ−ＲＣＨとＳ−ＲＣＨ（ｒａｎｇｉｎｇ  ｏｐｐｏｒｔｕｎｉｔｙ）が存在する。このタイプの基地局を、以下、便宜上「タイプ１基地局」と称する。
【００４５】
２）狭いカバレッジを有する基地局
次に、フェムト基地局のように比較的狭いカバレッジ（ｃｏｖｅｒａｇｅ）を有する基地局について説明する。
【００４６】
フェムト基地局において、レンジングチャネル及びコード割当情報は、基本的に、ＳＦＨ（ＳＰ１：ＲＰ  ｃｏｄｅ  ｐａｒｔｉｔｉｏｎ  ｉｎｆｏｒｍａｔｉｏｎ  ｆｏｒ  ｔｈｅ  Ｓ−ＲＣＨ、Ａｌｌｏｃａｔｉｏｎ  ｐｅｒｉｏｄｉｃｉｔｙ  ｏｆ  ｔｈｅ  Ｓ−ＲＣＨ、Ｓｕｂｆｒａｍｅ  ｏｆｆｓｅｔ  ｏｆ  ｔｈｅ  Ｓ−ＲＣＨ等）を通じて伝達される。ＳＦＨを通じて伝達される割当方式によって、最大毎フレームごとに一つの同期レンジングチャネル（すなわち、ｒａｎｇｉｎｇ  ｏｐｐｏｒｔｕｎｉｔｙ）が存在する。ただし、フェムト基地局のように狭いカバレッジを有する基地局では、同期の外れる可能性が低いことから、非同期レンジングチャネル（ＮＳ−ＲＣＨ）無しで同期レンジングチャネル（Ｓ−ＲＣＨ）のみが用いられてもよい。このタイプの基地局を、以下、便宜上「タイプ２基地局」と称する。
【００４７】
３）残りのタイプの基地局
最後に、カバレッジの狭い基地局やレガシーシステムを支援する基地局以外の残りのタイプの基地局（例えば、１６ｍ  ｏｎｌｙ  ＡＢＳ、ＡＲＳ、ｍａｃｒｏ  ｈｏｔ−ｚｏｎｅ等）について説明する。
【００４８】
残りのタイプの基地局では、レンジングチャネル及びコード割当情報が、基本的に、ＳＦＨ（ＳＰ１：ＲＰ  ｃｏｄｅ  ｐａｒｔｉｔｉｏｎ  ｉｎｆｏｒｍａｔｉｏｎ  ｆｏｒ  ｔｈｅ  ＮＳ−ＲＣＨ、Ａｌｌｏｃａｔｉｏｎ  ｐｅｒｉｏｄｉｃｉｔｙ  ｏｆ  ｔｈｅ  ＮＳ−ＲＣＨ、Ｓｕｂｆｒａｍｅ  ｏｆｆｓｅｔ  ｏｆ  ｔｈｅ  ＮＳ−ＲＣＨ等）を通じて伝達される。ＳＦＨを通じて伝達される割当方式によって、最大毎フレームごとに一つの非同期レンジングチャネル（ｒａｎｇｉｎｇ  ｏｐｐｏｒｔｕｎｉｔｙ）が存在する。また、ＳＦＨに加えて、マップ（Ａ−ＭＡＰ）またはＡＡＩ＿ＳＣＤメッセージを通じてレンジングチャネル情報が伝達されてもよい。
【００４９】
すなわち、マップが用いられる場合に、ハンドオーバーレンジングのための非同期レンジングチャネル（ＮＳ−ＲＣＨ  ｆｏｒ  ｈａｎｄｏｖｅｒ  ｒａｎｇｉｎｇ）の割当情報は、基地局のスケジュールリング決定によって、任意の一般的な放送データの割当のために用いられたサブフレーム以外のサブフレームで、放送割当マップ情報要素（Ｂｒｏａｄｃａｓｔ  Ａｓｓｉｇｎｍｅｎｔ  Ａ−ＭＡＰ  ＩＥ）またはハンドオーバー命令メッセージ（ＡＡＩ＿ＨＯ−ＣＭＤ）を通じて転送することができる。なお、ＡＡＩ＿ＳＣＤメッセージが用いられる場合に、ｐｅｒｉｏｄｉｃｉｔｙＯｆＲｎｇＣｈＳｙｎｃ、ｒａｎｇｉｎｇＰｒｅａｍｂｌｅＣｏｄｅＳｙｎｃなどの情報が当該メッセージに含まれ、割当方式によって、最大毎フレームごとに一つの同期レンジングチャネル（ｒａｎｇｉｎｇ  ｏｐｐｏｒｔｕｎｉｔｙ）が存在する。このタイプの基地局を、以下、便宜上「タイプ３基地局」と称する。
【００５０】
上述した３タイプの基地局でレンジングチャネル及びコード割当情報が転送される形態において、時間／周波数領域の順に一般的なレンジングチャネルの機会インデックスを判断するマッピング方式が用いられる場合に、割当情報の転送方式によって、端末の判断したレンジング機会インデックスと実際レンジング機会インデックスとが異なることがある。
【００５１】
このような問題点を解決するために、本発明は、レンジングチャネルに機会インデックスを与える新しいマッピング規則を、以下に提案する。
【００５２】
第１の実施例
本発明の一実施例によれば、レンジングチャネル割当情報が転送される形態及びレンジングチャネルの種類によって、レンジングチャネルを機会インデックスの固定した値にマッピングさせる方法が提供される。
【００５３】
本実施例に係るマッピング方法を適用する一例を挙げると、ＳＦＨを通じて割り当てられたＮＳ−ＲＣＨの機会インデックスは、最初の値（例、「０」）あるいは最後の値（例、もし２ビットで構成された場合は「３」）を与える。そして、ＳＦＨあるいはＡＡＩ＿ＳＣＤメッセージを通じて割り当てられたＳ−ＲＣＨの機会インデックスは、最後の値（例、もし２ビットで構成された場合は「３」）あるいは最初の値（例、「０」）を与える。
【００５４】
この場合、ＮＳ−ＲＣＨの機会インデックスを最初の値と定義すると、Ｓ−ＲＣＨの機会インデックスを最後の値と定義しなければならない。すなわち、ＮＳ−ＲＣＨの機会インデックスとＳ−ＲＣＨの機会インデックスは重ならないことが好ましい。
【００５５】
マップ（Ａ−ＭＡＰ）を通じて追加に割り当てられたハンドオーバーレンジングのためのチャネルの機会インデックスとしては、ＮＳ−ＲＣＨ及びＳ−ＲＣＨに割り当てられた機会インデックスの間の値（すなわち、残っているインデックスの値）を時間軸及び周波数軸に沿って順次に与える。
【００５６】
上述した本実施例に係る機会インデックスマッピング方法が、タイプ３基地局（すなわち、ＷｉｒｅｌｅｓｓＭＡＮ−ＯＦＤＭＡ  ｗｉｔｈ  ＦＤＭ−ｂａｓｅｄ  ＵＬ  ＰＵＳＣ  Ｚｏｎｅを支援する基地局及びフェムトセルのような、カバレッジの狭い基地局以外の基地局）に適用される形態の一例を、図２を参照して説明する。
【００５７】
図２は、本発明の一実施例に係るレンジングチャネルを機会インデックスにマッピングした形態の一例を示す図である。
【００５８】
図２で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、ＮＳ−ＲＣＨに機会インデックスの最初の値（すなわち、０）が与えられるとする。なお、一つのサブフレームには最大一つのレンジングチャネルが存在するとする。
【００５９】
図２を参照すると、サブフレーム＃０から＃３まで、各サブフレーム当たりに一つのレンジングチャネルが割り当てられる。ここで、サブフレーム＃３に、ＳＦＨを通じて伝達された非同期レンジングチャネル（ＮＳ−ＲＣＨ）が位置し、本実施例に係るマッピング方法が適用されることから、当該レンジングチャネルが時間軸上で最初に位置しないにもかかわらず、そのレンジング機会インデックスは０になる。
【００６０】
次に、ＡＡＩ＿ＳＣＤメッセージを通じて伝達された同期レンジングチャネル（Ｓ−ＲＣＨ）が、サブフレーム＃１に位置するが、本実施例のマッピング規則によって、最後のインデックスである３が与えられる。
【００６１】
そのため、残っている機会インデックスは１及び２になり、Ａ−ＭＡＰを通じて割り当てられたＮＳ−ＲＣＨのインデックスは、時間軸の順に、サブフレーム＃０のレンジングチャネルに１が、サブフレーム＃２のレンジングチャネルに２が与えられる。
【００６２】
タイプ３基地局への適用
本実施例に係るマッピング方法がタイプ３基地局に適用される他の例を、図３乃至図６を参照して説明する。
【００６３】
図３は、本発明の一実施例に係るレンジングチャネルを機会インデックスにマッピングした形態の他の例を示す図である。
【００６４】
図３でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、ＮＳ−ＲＣＨに機会インデックスの最初の値（すなわち、０）が与えられるとする。なお、一つのサブフレームには最大一つのレンジングチャネルが存在するとする。
【００６５】
図３を参照すると、サブフレーム＃０から＃３まで、各サブフレーム当たりに一つのレンジングチャネルが割り当てられる。ここで、サブフレーム＃０に、ＳＦＨを通じて割り当てられる非同期レンジングチャネル（ＮＳ−ＲＣＨ）が位置し、本実施例に係るマッピング方法が適用されることから、当該レンジングチャネルが時間軸上で最初に位置するか否かにかかわらず、その機会インデックスは０になる。
【００６６】
次に、ＡＡＩ＿ＳＣＤメッセージを通じて割り当てられる同期レンジングチャネル（Ｓ−ＲＣＨ）がサブフレーム＃１に位置するが、本実施例のマッピング規則によって、最後のインデックスである３が与えられる。
【００６７】
そのため、残ったレンジング機会インデックスは１及び２になり、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００６８】
本実施例に係るマッピング方法がタイプ３基地局に適用されるさらに他の例を、図４を参照して説明する。
【００６９】
図４は、本発明の一実施例に係るレンジングチャネルを機会インデックスにマッピングした形態のさらに他の例を示す図である。
【００７０】
図４でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、ＮＳ−ＲＣＨに機会インデックスの最初の値（すなわち、０）が与えられるとする。なお、一つのサブフレームには最大一つのレンジングチャネルが存在するとする。ただし、このフレームでは、ＡＡＩ＿ＳＣＤメッセージを通じた同期レンジングチャネルは割り当てられないとする。
【００７１】
図４を参照すると、サブフレーム＃０、＃２及び＃３の、各サブフレーム当たりに一つのレンジングチャネルが割り当てられる。ここで、サブフレーム＃０に、ＳＦＨを通じて伝達された非同期レンジングチャネル（ＮＳ−ＲＣＨ）が位置し、本実施例に係るマッピング方法が適用されることから、当該レンジングチャネルが時間軸上で最初に位置するか否かにかかわらず、その機会インデックスは０になる。
【００７２】
そのため、残っている機会インデックスは１乃至３になり、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００７３】
本実施例に係るマッピング方法がタイプ３基地局に適用されるさらに他の例を、図５を参照して説明する。
【００７４】
図５は、本発明の一実施例に係るレンジングチャネルを機会インデックスにマッピングした形態のさらに他の例を示す図である。
【００７５】
図５でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、Ｓ−ＲＣＨに、機会インデックスの最後の値（すなわち、３）が与えられるとする。なお、一つのサブフレームには最大一つのレンジングチャネルが存在するとする。ただし、このフレームにおいて、ＳＦＨを通じた非同期レンジングチャネルは割り当てられないとする。
【００７６】
図５を参照すると、まず、ＡＡＩ＿ＳＣＤメッセージを通じて割り当てられる同期レンジングチャネル（Ｓ−ＲＣＨ）がサブフレーム＃１に位置するが、本実施例のマッピング規則によって、最後のインデックスである３が与えられる。
【００７７】
そのため、残っている機会インデックスは０乃至２になり、Ａ−ＭＡＰを通じて割り当てられたＮＳ−ＲＣＨのインデックスは、時間軸の順に、サブフレーム＃２のレンジングチャネルに０が、サブフレーム＃３のレンジングチャネルに１が与えられる。
【００７８】
一方、当該フレーム内に、ＳＦＨを通じて割り当てられたＮＳ−ＲＣＨがなくても、それに与えられるレンジング機会インデックスの最初の値（すなわち、０）を留保しておいてもよい。こうする場合には、Ａ−ＭＡＰを通じて割り当てられるＮＳ−ＲＣＨに残った機会インデックスは、１及び２になり、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００７９】
本実施例に係るマッピング方法がタイプ３基地局に適用されるさらに他の例を、図６を参照して説明する。
【００８０】
図６は、本発明の一実施例に係るレンジングチャネルを機会インデックスにマッピングした形態のさらに他の例を示す図である。
【００８１】
図６でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、Ｓ−ＲＣＨに、機会インデックスの最後の値（すなわち、３）が与えられるとする。なお、一つのサブフレームには最大一つのレンジングチャネルが存在するとする。ただし、このフレームにおいて、ＳＦＨを通じた非同期レンジングチャネル及びＡＡＩ＿ＳＣＤメッセージを通じた同期レンジングチャネルは割り当てられないとする。
【００８２】
図６を参照すると、ＳＦＨ及びＡＡＩ＿ＳＣＤメッセージを通じて割り当てられるレンジングチャネルが存在するしないので、残っている機会インデックスは０乃至３になり、Ａ−ＭＡＰを通じて割り当てられたＮＳ−ＲＣＨのインデックスは、時間軸の順に、サブフレーム＃２のレンジングチャネルに０が、サブフレーム＃３のレンジングチャネルに１が与えられる。
【００８３】
一方、この場合にも同様、当該フレーム内に、ＳＦＨを通じて割り当てられたＮＳ−ＲＣＨがなくても、それに与えられるレンジング機会インデックスの最初の値（すなわち、０）を留保しておき、ＡＡＩ＿ＳＣＤメッセージを通じて割り当てられるＳ−ＲＣＨに与えられる機会インデックスの最後の値（すなわち、３）を留保しておいてもよい。こうすると、Ａ−ＭＡＰを通じて割り当てられるＮＳ−ＲＣＨに残った機会インデックスは、１及び２になり、よって、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００８４】
タイプ２基地局への適用
以下では、本実施例に係るマッピング方法がタイプ２基地局に適用される他の例を、図７を参照して説明する。
【００８５】
図７は、カバレッジの狭い基地局において、本発明の一実施例に係るレンジングチャネルを機会インデックスにマッピングした形態の一例を示す図である。
【００８６】
図７で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、本実施例において、フェムトセルのようにカバレッジの狭い基地局ではＳ−ＲＣＨのみが割り当てられるとする。そのため、ＳＦＨを通じて割り当てられるＳ−ＲＣＨに、機会インデックスの最後の値（すなわち、３）が与えられるとする。なお、一つのサブフレームには最大一つのレンジングチャネルが存在するとする。
【００８７】
図７を参照すると、サブフレーム＃１に、ＳＦＨを通じて割り当てられる同期レンジングチャネルが位置し、本実施例に係るマッピング方法が適用されることから、当該レンジングチャネルの時間軸上における位置にかかわらず、その機会インデックスは３になる。
【００８８】
そのため、残っている機会インデックスは０乃至２になり、Ａ−ＭＡＰを通じて割り当てられたＳ−ＲＣＨのインデックスは、時間軸の順に、サブフレーム＃０のレンジングチャネルに０が、サブフレーム＃２のレンジングチャネルに１が与えられる。
【００８９】
タイプ１基地局への適用
以下では、本実施例に係るマッピング方法がタイプ１基地局に適用される他の例を、図８及び図９を参照して説明する。
【００９０】
図８は、レガシーシステムを支援する基地局において、本発明の一実施例に係るレンジングチャネルを機会インデックスにマッピングした形態の一例を示す図である。
【００９１】
図８で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、ＮＳ−ＲＣＨに、機会インデックスの最初の値（すなわち、０）が与えられるとする。なお、レガシーシステムの支援のために、一つのサブフレームに、Ａ−ＭＡＰ（またはＡＡＩ＿ＨＯ−ＣＭＤメッセージ）を通じて動的に割り当てられるＮＳ−ＲＣＨ以外のＮＳ−ＲＣＨとＳ−ＲＣＨとが共存するとする。
【００９２】
図８を参照すると、まず、ＳＦＨを通じて割り当てられる非同期レンジングチャネル（ＮＳ−ＲＣＨ）は、サブフレーム＃０に位置するか否かにかかわらず、本実施例のマッピング規則によって、最初の機会インデックスである０が与えられる。なお、同一サブフレーム内に、ＳＦＨを通じて割り当てられる同期レンジングチャネルに機会インデックス３が与えられる。
【００９３】
そのため、残っている機会インデックスは１及び２になり、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００９４】
図９は、レガシーシステムを支援する基地局において、本発明の一実施例に係るレンジングチャネルを機会インデックスにマッピングした形態の他の例を示す図である。
【００９５】
図９でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、ＮＳ−ＲＣＨに、機会インデックスの最初の値（すなわち、０）が与えられるとする。ただし、当該フレームには、ＳＦＨを通じたＲＣＨの割当が存在しないとする。
【００９６】
図９を参照すると、上述した過程のように、ＳＦＨを通じて割り当てられるＲＣＨが存在しないので、Ａ−ＭＡＰを通じて割り当てられるＮＳ−ＲＣＨに、０及び１の機会インデックスが順に与えられる。
【００９７】
一方、ＳＦＨを通じて当該フレーム内に割り当てられたＲＣＨがなくても、それに与えられる機会インデックスの最初の値（すなわち、０）及び／または最後の値（すなわち、３）を留保しておいてもよい。こうすると、Ａ−ＭＡＰを通じて割り当てられるＮＳ−ＲＣＨに残った機会インデックスは１及び２になり、よって、Ａ−ＭＡＰを通じて割り当てられたＮＳ−ＲＣＨのインデックスは、時間軸の順に、サブフレーム＃２のレンジングチャネルに１が、サブフレーム＃３のレンジングチャネルに２が与えられる。
【００９８】
第２の実施例
本発明の他の実施例によれば、レンジングチャネルの機会インデックスを時間／周波数軸に沿ってサブフレーム単位で順次に与えるとともに、レンジングチャネルのサブフレーム番号を明示的に端末に知らせる方法が提供される。
【００９９】
上述した本実施例に係るレンジング機会インデックスマッピング方法がタイプ１基地局（すなわち、ＷｉｒｅｌｅｓｓＭＡＮ−ＯＦＤＭＡ  ｗｉｔｈ  ＦＤＭ−ｂａｓｅｄ  ＵＬ  ＰＵＳＣ  Ｚｏｎｅを支援する基地局）に適用される形態の一例を、図１０を参照して説明する。
【０１００】
図１０は、本発明の他の実施例に係るレンジングチャネルを機会インデックスにマッピングした形態の一例を示す図である。
【０１０１】
図１０で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、レガシーシステムの支援のために、一つのサブフレームに、Ａ−ＭＡＰを通じて動的に割り当てられるＮＳ−ＲＣＨ以外のＮＳ−ＲＣＨとＳ−ＲＣＨとが共存するとする。
【０１０２】
図１０を参照すると、サブフレーム＃０では、ＳＦＨを通じて割り当てられるＮＳ−ＲＣＨとＳ−ＲＣＨが共に位置するが、サブフレーム単位でレンジング機会インデックスが時間軸の順に定められるので、ＮＳ−ＲＣＨには機会インデックス０が、Ｓ−ＲＣＨには機会インデックス１がそれぞれ与えられる。また、Ａ−ＭＡＰを通じて割り当てられる残りのＮＳ−ＲＣＨは、サブフレーム＃２及び＃３にそれぞれ一つずつ存在するので、これらＮＳ−ＲＣＨにはいずれも機会インデックス０が与えられる。
【０１０３】
本実施例を具現するためには、ＳＦＨ、ＡＡＩ＿ＳＣＤ及びＡ−ＭＡＰのレンジングチャネル割当情報に、ＲＣＨごとにサブフレーム番号を指示するためのフィールドが追加されることが好ましい。また、レンジング肯定応答（ＡＡＩ＿ＲＮＧ−ＡＣＫ）メッセージ及びＣＤＭＡ割当マップ（ＣＤＭＡ  Ａｌｌｏｃａｔｉｏｎ  Ａ−ＭＡＰ）にも、レンジング機会インデックスの属したサブフレーム番号を指示するためのフィールドが追加されることが好ましい。
【０１０４】
第３の実施例
本発明のさらに他の実施例によれば、レンジングチャネルの用途（すなわち、ＮＳ−ＲＣＨなのかＳ−ＲＣＨなのか）によって、当該チャネルの時間軸及び周波数軸に沿って順次にレンジング機会インデックスを与える方法が提供される。
【０１０５】
すなわち、ＮＳ−ＲＣＨには基本的に、本発明の一実施例と同じ方法で機会インデックスを与え、Ｓ−ＲＣＨには、ＮＳ−ＲＣＨと同じ機会インデックス値を与えることができる。そのために、ＳＦＨまたはＡ−ＭＡＰを通じて転送されるレンジングチャネル割当情報には、レンジングタイプ情報（Ｒａｎｇｉｎｇ  ｔｙｐｅ、すなわち、ＮＳ−ＲＣＨなのかＳ−ＲＣＨなのか）が明示的に含まれることが好ましい。
【０１０６】
また、レンジング肯定応答（ＡＡＩ＿ＲＮＧ−ＡＣＫ）メッセージ及びＣＤＭＡ割当マップ（ＣＤＭＡ  Ａｌｌｏｃａｔｉｏｎ  Ａ−ＭＡＰ）にもレンジング機会インデックスのレンジングタイプ情報が明示的に含まれることが好ましい。
【０１０７】
以下では、上述した本実施例に係るレンジング機会インデックスマッピング方法がタイプ１基地局（すなわち、ＷｉｒｅｌｅｓｓＭＡＮ−ＯＦＤＭＡ  ｗｉｔｈ  ＦＤＭ−ｂａｓｅｄ  ＵＬ  ＰＵＳＣ  Ｚｏｎｅを支援する基地局）に適用される形態の一例を、図１１を参照して説明する。
【０１０８】
図１１は、本発明のさらに他の実施例に係るレンジングチャネルを機会インデックスにマッピングした形態の一例を示す図である。
【０１０９】
図１１で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、レガシーシステムの支援のために、一つのサブフレームに、Ａ−ＭＡＰを通じて動的に割り当てられるＮＳ−ＲＣＨ以外のＮＳ−ＲＣＨとＳ−ＲＣＨとが共存するとする。
【０１１０】
図１１を参照すると、サブフレーム＃０では、ＳＦＨを通じて割り当てられるＮＳ−ＲＣＨとＳ−ＲＣＨとが共に位置し、ＮＳ−ＲＣＨは、当該フレームで時間軸上で最初に位置するので、レンジング機会インデックス０が与えられる。Ｓ−ＲＣＨも、当該フレームで時間軸上で最初に位置するので、レンジング機会インデックスは０になる。
【０１１１】
まず、サブフレーム＃０においてＮＳ−ＲＣＨが一つ存在（レンジング機会インデックス０）するので、後でＡ−ＭＡＰを通じて割り当てられた残り２つのＮＳ−ＲＣＨには、機会インデックス１と機会インデックス２が時間軸に沿って順にそれぞれ与えられる。
【０１１２】
第４の実施例
本発明のさらに他の実施例によれば、レンジングチャネル割当情報が転送される形態によって、レンジングチャネルを、機会インデックスの固定した値にマッピングさせる方法が提供される。
【０１１３】
具体的に、レンジングを行うに当たり、一つのフレームにレンジングチャネルがＳ−ＳＦＨ  ＳＰ１を通じて割り当てられる時に、Ｓ−ＳＦＨを通じて割り当てられた各レンジングチャネルに、機会インデックス０からそれぞれマッピングされる。この時、レンジング機会インデックスのマッピングの順序は、時間軸でＳ−ＳＦＨ  ＳＰ１を通じてレンジングチャネルが割り当てられる順序と同一である。また、一つのフレームにレンジングチャネルがＡＡＩ＿ＳＣＤメッセージを通じて割り当てられる時に、当該レンジングチャネルは機会インデックス３にマッピングされる。その後、残りのレンジング機会インデックスが、Ａ−ＭＡＰ  ＩＥを通じて割り当てられたレンジングチャネルに与えられ、各レンジングチャネルに機会インデックスがマッピングされる順序は、時間軸でＡ−ＭＡＰ  ＩＥを通じてレンジングチャネルが割り当てられる順序と同一である。
【０１１４】
本実施例に係るマッピング方法がタイプ３基地局に適用される例を、図１２を参照して説明する。
【０１１５】
図１２は、本発明のさらに他の実施例に係るレンジングチャネルを機会インデックスにマッピングした形態の一例を示す図である。
【０１１６】
図１２でも同様、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、一つのサブフレームには最大一つのレンジングチャネルが存在するとする。
【０１１７】
図１２を参照すると、サブフレーム＃０から＃３まで、各サブフレーム当たりに一つのレンジングチャネルが割り当てられる。ここで、サブフレーム＃３に、ＳＦＨを通じて割り当てられる非同期レンジングチャネル（ＮＳ−ＲＣＨ）が位置し、本実施例に係るマッピング方法が適用されることから、当該レンジングチャネルが時間軸上で最初に位置しないにもかかわらず、その機会インデックスは０になる。
【０１１８】
次に、ＡＡＩ＿ＳＣＤメッセージを通じて割り当てられる同期レンジングチャネル（Ｓ−ＲＣＨ）がサブフレーム＃１に位置するが、本実施例のマッピング規則によって、最後のインデックスである３が与えられる。
【０１１９】
そのため、残っている機会インデックスは１及び２になり、Ａ−ＭＡＰを通じて割り当てられたＮＳ−ＲＣＨのインデックスは、時間軸の順に、サブフレーム＃０のレンジングチャネルに１が、サブフレーム＃２のレンジングチャネルに２が与えられる。
【０１２０】
次に、本実施例に係るマッピング方法がタイプ１基地局に適用される一例を、図１３を参照して説明する。
【０１２１】
図１３は、レガシーシステムを支援する基地局において、本発明のさらに他の実施例に係るレンジングチャネルを機会インデックスにマッピングした形態の一例を示す図である。
【０１２２】
図１３で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、レガシーシステムの支援のために、一つのサブフレームに、Ａ−ＭＡＰを通じて動的に割り当てられるＮＳ−ＲＣＨ以外のＮＳ−ＲＣＨとＳ−ＲＣＨとが共存するとする。
【０１２３】
図１３を参照すると、まず、ＳＦＨを通じて割り当てられるＮＳ−ＲＣＨとＳ−ＲＣＨとがそれぞれサブフレーム＃０に位置するが、同じチャネル（ここではＳＦＨ）を通じて割り当てられるＲＣＨについては時間軸に沿って機会インデックスが与えられるので、時間軸において先に位置するＮＳ−ＲＣＨに機会インデックス０が与えられ、Ｓ−ＲＣＨには機会インデックス１が与えられる。
【０１２４】
そのため、残っている機会インデックスは２及び３になり、Ａ−ＭＡＰを通じて割り当てられたＮＳ−ＲＣＨのインデックスは、時間軸の順に、サブフレーム＃２のレンジングチャネルに２が、サブフレーム＃３のレンジングチャネルに３が与えられる。
【０１２５】
次に、本実施例に係るマッピング方法がタイプ２基地局に適用される他の例を、図１４を参照して説明する。
【０１２６】
図１４は、カバレッジの狭い基地局において、本発明のさらに他の実施例に係るレンジングチャネルを機会インデックスにマッピングした形態の一例を示す図である。
【０１２７】
図１４で、ダウンリンク／アップリンク比（ＤＬ／ＵＬ  ｒａｔｉｏ）は３：５であり、レンジング機会インデックスの大きさを２ビット（すなわち、０〜３の４個）と仮定する。また、一つのサブフレームには最大一つのレンジングチャネルが存在するとする。
【０１２８】
図１４を参照すると、サブフレーム＃１に、ＳＦＨを通じて割り当てられる同期レンジングチャネルが位置し、本実施例に係るマッピング方法が適用されることから、当該レンジングチャネルの時間軸上における位置にかかわらず、その機会インデックスは０になる。
【０１２９】
そのため、残っている機会インデックスは１乃至３になり、Ａ−ＭＡＰを通じて割り当てられたＳ−ＲＣＨのインデックスは、時間軸の順に、サブフレーム＃０のレンジングチャネルに１が、サブフレーム＃２のレンジングチャネルに２が与えられる。
【０１３０】
以上の実施例においてＡ−ＭＡＰを通じて割り当てられるものと説明された、動的に割り当てられるレンジングチャネルは、Ａ−ＭＡＰの他にも、ハンドオーバー過程においてハンドオーバー命令（ＡＡＩ＿ＨＯ−ＣＭＤ）メッセージを通じて割り当てられてもよい。
【０１３１】
端末及び基地局の構造
以下、本発明の他の実施例であって、上記の本発明の実施例を実行できる端末及び基地局（ＦＢＳ、ＭＢＳ）について説明する。
【０１３２】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの転送のために送信機及び受信機を含むことができる。
【０１３３】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化したメッセージを解析するためのモジュール、メッセージを送受信するためのアンテナなどを備えることができる。このような送信端と受信端の一例を、図１５を参照して説明する。
【０１３４】
図１５は、本発明の他の実施例であって、送信端及び受信端の構造の一例を示すブロック図である。
【０１３５】
図１５を参照すると、左側は送信端の構造を示し、右側は受信端の構造を示している。送信端及び受信端のそれぞれは、アンテナ５，１０、プロセッサ２０，３０、転送モジュール（Ｔｘ  ｍｏｄｕｌｅ）４０，５０、受信モジュール（Ｒｘ  ｍｏｄｕｌｅ）６０，７０及びメモリー８０，９０を備えることができる。各構成要素は、互いに対応する機能を実行することができる。以下、各構成要素についてより詳細に説明する。
【０１３６】
アンテナ５，１０は、転送モジュール４０，５０で生成された信号を外部に転送したり、外部から無線信号を受信して受信モジュール６０，７０に伝達する機能を担う。多重アンテナ（ＭＩＭＯ）機能が支援される場合には、２個以上が設けられてもよい。
【０１３７】
アンテナ、転送モジュール及び受信モジュールは共に、無線通信（ＲＦ）モジュールを構成することができる。
【０１３８】
プロセッサ２０，３０は、通常、移動端末機の全般動作を制御する。例えば、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０，３０は、上述したシステム情報の転送／更新手順を実行するための制御全般を行うことができる。
【０１３９】
特に、端末のプロセッサは、無線通信モジュールを制御して、レンジングチャネルの割当情報を含むＳＦＨ、ＡＡＩ＿ＳＣＤメッセージ及び／またはＡ−ＭＡＰを受信することができる。レンジングチャネルの割当情報を獲得した端末のプロセッサは、自身が行うとするレンジングの目的に応じたレンジングコードを選択し、レンジング目的に対応するレンジングチャネル割当情報が指示するレンジングチャネルを通じて当該選択したコードが転送されるように、無線通信モジュールを制御することができる。その後、端末は、自身が選択したレンジングコードの受信結果を、基地局からのＡＡＩ＿ＲＮＧ−ＡＣＫメッセージから確認することができる。上述したレンジング手順において、端末のプロセッサは、自身がレンジングコードを転送したレンジングチャネルを識別するために、前述した実施例のいずれか一方法を用いて当該レンジングチャネルの機会インデックスを判断することができる。
【０１４０】
その他にも、端末のプロセッサは、上述した実施例に開示された動作の全般的な制御動作を行うことができる。
【０１４１】
転送モジュール４０，５０は、プロセッサ２０，３０からスケジューリングされて外部に転送されるデータに、所定の符号化（ｃｏｄｉｎｇ）及び変調（ｍｏｄｕｌａｔｉｏｎ）を行った後、アンテナ１０に伝達することができる。
【０１４２】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【０１４３】
メモリー８０，９０は、プロセッサ２０，３０の処理及び制御のためのプログラムを格納することもでき、入／出力されるデータを臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１４４】
一方、基地局及び中継局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ転送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに備えることができる。
【０１４５】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１４６】
上述した本発明の実施例は、様々な無線接続システムに適用することができる。様々な無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）システム、ＩＥＥＥ  ８０２．ｘｘシステムなどがある。上述した本発明の実施例は、上記のシステムの他、これらシステムが適用されるいずれの技術分野にも適用することができる。
【図１】
0005584770.tif 000002
【図２】
0005584770.tif 000003
【図３】
0005584770.tif 000004
【図４】
0005584770.tif 000005
【図５】
0005584770.tif 000006
【図６】
0005584770.tif 000007
【図７】
0005584770.tif 000008
【図８】
0005584770.tif 000009
【図９】
0005584770.tif 000010
【図１０】
0005584770.tif 000011
【図１１】
0005584770.tif 000012
【図１２】
0005584770.tif 000013
【図１３】
0005584770.tif 000014
【図１４】
0005584770.tif 000015
【図１５】
0005584770.tif 000016